(57)【要約】  本発明は、特定のシート抵抗Ｒ１を有する透明アノード（１）、及び特定のシート抵抗Ｒ２を有するカソード（３）を含み、ｒ比＝Ｒ２／Ｒ１が０．０１〜２．５であって、また、少なくとも１つの電気的アノードコンタクトと、能動部分（２０）の上方に配置された特定のいわゆるコンタクト面を有する第１電気的カソードコンタクト（５）を含み、そして有機発光システムＥｔの上方で能動部分（２０）を被覆する反射体（６）を含むＯＬＥＤデバイスであって、アノードコンタクト（４１）の各箇所Ｂについて言うと、箇所Ｂは第１アノード領域（４０）の所与の端部にあり、そして同時にＢと当該箇所Ｂに最も近いコンタクト面の箇所Ｃとの間の距離Ｄを規定するとともに、当該箇所ＢとＣを通過しながら第１端部の反対の第１アノード領域の端部の箇所Ｘとの間の距離Ｌを規定していて、以下の基準、すなわち、０．０１＜ｒ＜０．１ならば３０％＜Ｄ／Ｌ＜４８％、０．１＜ｒ＜０．５ならば１０％＜Ｄ／Ｌ＜４５％、０．５＜ｒ＜１ならば１０％＜Ｄ／Ｌ＜４５％、１＜ｒ＜１．５ならば５％＜Ｄ／Ｌ＜３５％、１．５＜ｒ＜２．５ならば５％＜Ｄ／Ｌ＜３０％が規定されている、ＯＬＥＤデバイス（１００）に関する。
2015503821.tif 000002
【特許請求の範囲】
【請求項１】
第１主面（１０）を有する透明基材を含んでなるいわゆるＯＬＥＤ有機発光ダイオードデバイス（１００〜９００）であり、当該透明基材は、前記第１主面から始まって、
・透明で、所与のシート抵抗Ｒ１のアノード（１）を形成している下部電極、
・前記アノードの上方の有機発光システム（２）、
・前記有機発光システムの上方のカソード（３）であり、所与のシート抵抗Ｒ２を有し、ｒ比＝Ｒ２／Ｒ１が０．０１〜２．５の範囲であるカソード（３）を形成している上部電極、
をこの順序で含んでなる積重体を含み、前記アノード、有機発光システム及びカソードが共通のいわゆる能動ゾーン（２０）を画定しているＯＬＥＤデバイスであって、当該ＯＬＥＤデバイスは、
・第１テーラードアノードコンタクト（４１）と呼ばれる、少なくとも１つのアノード電気コンタクトであって、当該第１テーラードアノードコンタクト（４１）が、単独で又は１以上の第２のいわゆるテーラードアノードコンタクト（４ｉ）とともに、第１アノード領域（４０）と呼ばれるアノード面の第１領域の輪郭を画定している、少なくとも１つのアノード電気コンタクト、
・第１カソード電気コンタクト（５）であって、
・前記能動ゾーン（２０）の上方に配置されて、前記第１アノード領域の上方の前記カソード（３）の領域を部分的に覆い、
・前記能動ゾーンの表面積よりも小さく、前記第１アノード領域の表面積よりも小さい、コンタクト面と呼ばれる、所与の面を有し、
・前記コンタクト面の全ての箇所で、前記第１テーラードアノードコンタクト（４１）とオフセットし、且つ任意選択的な第２テーラードアノードコンタクトとオフセットしている、
第１カソード電気コンタクト（５）、
を含んでおり、
前記第１テーラードアノードコンタクト（４１）及び各任意選択的な第２テーラードアノードコンタクト（４ｉ）のそれぞれの箇所Ｂについて、当該箇所Ｂは、前記第１アノード領域（４０）の所与の端部にあって、当該箇所Ｂと当該箇所Ｂに最も近い前記コンタクト面の箇所Ｃとの間の距離Ｄを規定するとともに、当該箇所Ｂと、Ｃを通過して前記第１アノード領域の第１端部と反対側の箇所Ｘとの間の距離Ｌを規定していて、以下の基準、すなわち、
・０．０１≦ｒ＜０．１である場合、３０％＜Ｄ／Ｌ＜４８％、
・０．１≦ｒ＜０．５である場合、１０％＜Ｄ／Ｌ＜４５％、
・０．５≦ｒ＜１である場合、１０％＜Ｄ／Ｌ＜４５％、
・１≦ｒ＜１．５である場合、５％＜Ｄ／Ｌ＜３５％、
・１．５≦ｒ＜２．５である場合、５％＜Ｄ／Ｌ＜３０％、
が規定され、
そして当該ＯＬＥＤデバイスは、前記有機発光システム（２）の上方に、前記第１面（１０）から遠ざかる方向で、前記能動ゾーン（２０）を覆う反射体（６）を含んでいる、ＯＬＥＤデバイス（１００〜９００）。
【請求項２】
前記コンタクト面が前記第１アノード領域（４０）の中央から前記能動ゾーン（２０）の端部まで延在していることを特徴とする、請求項１記載のＯＬＥＤデバイス（１００〜９００）。
【請求項３】
前記コンタクト面（５）がベタの面、格子状面、場合によって星状である面であることを特徴とする、請求項１又は２記載のＯＬＥＤデバイス（１００〜９００）。
【請求項４】
・０．０４≦ｒ＜０．１である場合、４０％＜Ｄ／Ｌ＜４８％、
・０．１≦ｒ＜０．５である場合、３０％＜Ｄ／Ｌ＜４５％、
・０．５≦ｒ＜１である場合、２０％≦Ｄ／Ｌ≦４０％、又は２５％≦Ｄ／Ｌ≦３５％、
・１≦ｒ＜１．５である場合、１０％＜Ｄ／Ｌ≦３５％、
・１．５≦ｒ＜２．５である場合、１５％≦Ｄ／Ｌ≦２５％、
であることを特徴とする、請求項１〜３のうちの１項に記載のＯＬＥＤデバイス（１００〜９００）。
【請求項５】
前記第１アノード領域（４０）に配置され、前記第１テーラードアノードコンタクト（４１）及び／又は任意選択的な前記第２テーラードアノードコンタクト（４ｉ）と連結された、抵抗が前記テーラードコンタクトの抵抗よりも大きな抵抗性コンタクトである１以上のいわゆる抵抗性アノード電気コンタクト（４２）を、特に電気伝導性層として、含むこと、そして０．０１〜２．５の範囲のｒ比が０．０１〜２．５の範囲のｒ’ 比＝Ｒ２／Ｒ’１と取り替えられて、ここでのＲ’１は前記第１アノード領域（４０）におけるアノード（１）と抵抗性アノードコンタクト（４２）との集合体の等価シート抵抗であることを特徴とする、請求項１〜４のうちの１項に記載のＯＬＥＤデバイス（１００〜９００）。
【請求項６】
前記第１テーラードアノードコンタクト（４１）が単独で又は前記第２テーラードアノードコンタクト（４ｉ）とともに延在して閉鎖又は擬似閉鎖輪郭を形成しており、そして前記第１カソードコンタクト（５）が前記第１アノード領域（４０）の端部に関して又は前記テーラードアノードコンタクトに関して好ましくは実質的に中央にあることを特徴とする、請求項１〜５のうちの１項に記載のＯＬＥＤデバイス（１００〜９００）。
【請求項７】
特に中央に位置する、前記第１カソードコンタクト（５）が、前記第１アノード領域（４０）の面と、特に当該第１アノード領域が円形である場合に、相似の面を有し、及び／又は前記能動ゾーン（４０）の面と相似の面を有することを特徴とする、請求項１〜６のうちの１項に記載のＯＬＥＤデバイス（１００〜４００、６００）。
【請求項８】
前記第１アノード領域（４０）が正方形又は長方形であり、前記第１カソードコンタクト（５）が、中央にあって、前記第１アノード領域（４０）の対角線に準じた十字形であり、そしてｒ又はｒ’ 比が１．１±０．１に等しくなるように選択されていること、又は前記第１アノード領域（４０）がディスク形状であり、前記第１カソードコンタクト（５）が中央にあって、好ましくはディスクであり、１≦ｒ又はｒ’＜１．５であり、２０％＜Ｄ／Ｌ≦３０％であることを特徴とする、請求項１〜６のうちの１項に記載のＯＬＥＤデバイス（１００）。
【請求項９】
前記第１テーラードアノードコンタクトが延在するコンタクト（４１）であり、前記第２テーラードアノードコンタクトのうちの少なくとも２つが延在するタイプ（４ｉ）のものであること、及びＬｐ＜０．２５Ｐ又は≦０．１５Ｐであり、Ｌｐがそれぞれの延在するテーラードコンタクトと前記第１アノード領域（４０）の外周Ｐとの間の距離であることを特徴とする、請求項１〜７のうちの１項に記載のＯＬＥＤデバイス（８００、９００）。
【請求項１０】
前記第１テーラードアノードコンタクトが点状タイプのコンタクト（４１）であり、点状タイプの前記第２テーラードアノードコンタクト（４ｉ）が前記第１アノード領域（４０）を画定するように分布していて、特に各能動ゾーンの端部に面して存在していること、及び点状の各テーラードコンタクト（４１）又は（４ｉ）間の距離が前記第１アノード領域の最大距離Ｌｍａｘの半分未満、又はＬｍａｘ／４未満もしくはＬｍａｘ／８未満であることを特徴とする、請求項１〜７のうちの１項に記載のＯＬＥＤデバイス（５００）。
【請求項１１】
前記カソード（３）が透明又は半反射であり、前記反射体（６）が、好ましくは金属の、特に層状の、反射性被覆要素（６１）を前記カソード（３）の上方に、前記第１主面から遠ざかる方向に含んでなり、前記被覆要素（６１）がいわゆるインサート電気絶縁要素（７）によって前記カソードから分離されていること、及び前記インサート（７）に隣接する前記第１カソードコンタクト（５）が前記反射体（６）の一部を形成し、そして好ましくは前記反射性被覆要素（６１）と接触しているか又は電気的に結合されていることを特徴とする、請求項１〜１０のうちの１項に記載のＯＬＥＤデバイス（１００〜９００）。
【請求項１２】
前記第１カソードコンタクト（５）が前記反射性被覆要素（６１）と同じ材料を基礎材料とし、好ましくはアルミニウムを基礎材料としており、特に前記第１カソードコンタクト（５）及び前記被覆要素（６１）が前記インサート（７）及び前記カソード（３）上の連続層によって形成されており、好ましくは当該連続層が前記カソード（３）と同じ材料、特にアルミニウム、を基礎材料としていることを特徴とする、請求項１１記載のＯＬＥＤデバイス（１００〜９００）。
【請求項１３】
前記カソード（３）がアルミニウムを基礎材料とする層を含んでなり、前記第１カソードコンタクト（５）がアルミニウムを基礎材料とする層を含んでなることを特徴とする、請求項１２記載のＯＬＥＤデバイス（１００〜９００）。
【請求項１４】
前記反射体が前記カソードコンタクトに隣接するブラッグミラーを含んでなり、当該カソードコンタクトが当該反射体の一部を形成していることを特徴とする、請求項１〜１０のうちの１項に記載のＯＬＥＤデバイス（１００〜９００）。
【請求項１５】
第１主面（１０）を有する透明基材を有する背面発光型有機発光デバイス（１００〜９００）の輝度を均一化するための方法であり、当該透明基材が前記第１面から始まって、
・透明であり、所与のシート抵抗Ｒ１のアノード（１）を形成している下部電極、
・前記アノードの上方の有機発光システム（２）、
・前記有機発光システムの上方にあって、電気伝導性層を含み、所与のシート抵抗Ｒ２のカソード（３）を形成している上部電極、
をこの順序で含んでなる積重体を含んでいて、その結果前記アノード、有機発光システム及びカソードが共通のいわゆる能動ゾーン（２０）を画定しており、また、
・第１テーラードアノードコンタクト（４１）と称される、少なくとも１つのアノード電気コンタクト、
・前記能動ゾーンの面より小さい所定のコンタクト面の少なくとも１つの第１カソード電気コンタクト（５）、
を含む、背面発光型有機発光デバイスの輝度を均一化するための方法であって、
・当該方法は、
・ｒ比＝Ｒ２／Ｒ１を０．０１〜２．５の範囲又は０．１〜１．５の範囲に調節すること、
・前記カソードコンタクト（５）を前記能動ゾーン（２０）の上方、特に前記能動ゾーンの端部から最も離れたゾーンに配置し、そしてコンタクト面の大きさを、１００ｎｍのアルミニウムカソードを選択することによって異なるＯＬＥＤデバイスのアノードゾーンの輝度均一性に対して５％以上大きいアノードゾーン（２０）の輝度均一性Ｈが得られるように選択すること、
・前記カソード（３）の上方に反射体（６）を追加すること、
を含む、背面発光型有機発光デバイスの輝度を均一化するための方法。
【発明の詳細な説明】
【技術分野】
【０００１】
本発明の対象は、有機発光ダイオードデバイス及び背面発光型ＯＬＥＤデバイスの輝度を均一化するための方法である。
【背景技術】
【０００２】
公知の有機発光システム又はＯＬＥＤ（「有機発光ダイオード」）は、電気伝導性薄層の形態でそれを囲う電極によって電気を供給される有機発光層の積重体を含む。２つの電極間に電圧をかけると、有機層に電流が流れ、かくしてエレクトロルミネッセンスによって光が発生する。
【０００３】
背面発光型ＯＬＥＤデバイス（又は「底面」型ＯＬＥＤ）では、上部電極すなわちカソードは典型的には０．１Ω／□以下のシート抵抗を有する反射性金属層であり、下部電極すなわちアノードは、放射光を通過させるガラス又はプラスチック基材上に被着された、数桁高いシート抵抗の透明層である。
【０００４】
国際公開第９９／０２０１７号パンフレットでは、アノードとカソードとのシート抵抗の非常に大きな差異が輝度の不均一性、耐久時間及び信頼性の減少を、特に大きなサイズのデバイスについて、同時にもたらすことに注目されている。従って、所与のシート抵抗Ｒ１の透明アノード及び同様に所与のシート抵抗Ｒ２を有するカソードを有する有機発光ダイオードデバイスであって、ｒ比＝Ｒ２／Ｒ１が０．３と３の間であるデバイスが提案されている。
【０００５】
一例として、アノードはシート抵抗１０オームのＩＴＯの層であり、カソードはシート抵抗９．９オームのイッテルビウムの薄層であり、すなわちｒはほぼ１である。
【先行技術文献】
【特許文献】
【０００６】
【特許文献１】国際公開第９９／０２０１７号パンフレット
【発明の概要】
【発明が解決しようとする課題】
【０００７】
しかしながら、均一性の増加はなおも最善ではなく、全てのＯＬＥＤ構造にとって確実でもない。
【課題を解決するための手段】
【０００８】
従って、本発明の対象は、第１主面を有する透明基材を含んでなる有機発光ダイオードデバイス、いわゆるＯＬＥＤであり、前記第１主面から始まって、
・透明で、好ましくは少なくとも１つの電気伝導性層を含んでなるアノードであり、所与のシート抵抗Ｒ１、特にＲ１が３０Ω／□未満、又は実際において１５Ω／□以下、又は更には１０Ω／□以下のアノードであって、所与のアノード面を有し、アノード面の特性寸法が好ましくは少なくとも２ｃｍ、又は実際において５ｃｍであるアノードを形成している、（例えば第１面の直上又は副層上の）下部電極、
・アノードの上方の有機発光システム、
・有機発光システムの上方（又は実際において該システムの直上）のカソードであり、好ましくは電気伝導性層を含み、所与のシート抵抗Ｒ２を有し、好ましくは一定の所与の厚さのカソードであって、ｒ比＝Ｒ２／Ｒ１が０．０１〜２．５の範囲であるカソードを形成している上部電極、
をこの順序で含んでなる積重体を含む透明基材を含んでなる有機発光ダイオードデバイスであって、アノード、有機発光システム及びカソードが共通のいわゆる能動ゾーン（非常に不透明ならばいかなる任意選択的な内側アノードコンタクトも除いて、照射面に対応する）を画定している有機発光ダイオードデバイスである。
【０００９】
このＯＬＥＤデバイスは、
・第１テーラードアノードコンタクトと呼ばれる、特に層状の、少なくとも１つのアノード電気コンタクトであって、単独で又は１以上の、特に点状の、第２のいわゆるテーラード（ｔａｉｌｏｒｅｄ）アノードコンタクトとともに、第１アノード領域と呼ばれるアノード面の第１領域の（外部）輪郭を画定している少なくとも１つのアノード電気コンタクト（電位Ｖがアノードの境界で印加される）、
・特に層状の、第１カソード電気コンタクトであって、
・能動ゾーンの上方に配置されて、第１アノード領域の上方のカソードの領域を部分的に覆い、
・能動ゾーンの表面積よりも小さく、第１アノード領域の表面積よりも小さい、コンタクト面と呼ばれる、所与の面を有し、
・コンタクト面の全ての箇所で、第１テーラードアノードコンタクトと、且つ任意選択的な第２テーラードアノードコンタクトとオフセットしている、
第１カソード電気コンタクト、
を更に含む。
【００１０】
そして第１テーラードアノードコンタクト及び各任意選択的な第２テーラードアノードコンタクトの（少なくとも大部分の、又は実際において８０％の、そして好ましくはそれぞれの）箇所Ｂについて言うと、箇所Ｂは、第１アノード領域の（第１の）所与の端部にあって、前記箇所Ｂと前記箇所Ｂに最も近いコンタクト面の箇所Ｃとの間の距離Ｄを規定するとともに、前記箇所Ｂと、Ｃを通過して第１アノード領域の前記第１端部と反対側の端部の箇所Ｘとの間の距離Ｌを規定していて、以下の基準、すなわち、
・０．０１≦ｒ＜０．１である場合、３０％＜Ｄ／Ｌ＜４８％、
・０．１≦ｒ＜０．５である場合、１０％＜Ｄ／Ｌ＜４５％、
・０．５≦ｒ＜１である場合、１０％＜Ｄ／Ｌ＜４５％、
・１≦ｒ＜１．５である場合、５％＜Ｄ／Ｌ＜３５％、
・１．５≦ｒ＜２．５である場合、５％＜Ｄ／Ｌ＜３０％、
が規定される。
【００１１】
更に厳密には、Ｄは、Ｂと、アノード上への又は更に良好にはアノードに平行なＢを通過する平面へのＣの（垂直）投影点との間の距離であるが、ＯＬＥＤの高さが小さいことを考慮して、先に規定した基準がこれによって変更されることはない。
【００１２】
そして同様に更に厳密には、Ｌは、Ｂと、アノードに平行なＢを通過する平面におけるＣの垂直投影点を通過するＸとの間の距離であるが、ＯＬＥＤの高さが小さいことを考慮して、先に規定した基準がこれによって変更されることはない。
【００１３】
従って、ＤとＬはアノードに平行なＢを通過する平面において規定することが好ましいであろう。
【００１４】
最後に、このＯＬＥＤデバイスは、有機発光システムの上方に、第１面から離れて、能動ゾーンを覆う反射体を含んでなる。
【００１５】
本発明によれば、「テーラード（ｔａｉｌｏｒｅｄ）アノードコンタクト」（すなわちテーラード第１アノードコンタクト、そしてまたテーラード第２アノードコンタクト）は、ＯＬＥＤが作動中であるときに電圧がテーラードコンタクトのどの箇所でも同じであるように十分な導電性を有する電気コンタクトを意味するものである。この導電性の結果、テーラードコンタクトの２つの箇所間で、これらの２つの箇所の近傍における輝度のばらつきは５％未満となる。従って、テーラードアノードコンタクトの役割はその面全体にわたって同一の電位を分布させることである。
【００１６】
本発明によれば、第１カソード電気コンタクトは、ＯＬＥＤが作動中であるときに電圧が第１カソードコンタクトのどの箇所でも同じであるような十分な導電性を有する。この導電性の結果、このカソードコンタクトの２つの箇所間で、これらの２つの箇所の近傍における輝度のばらつきは５％未満となる。従って、このカソードコンタクトの役割はその面全体にわたって同一の電位を分布させることである。
【００１７】
本発明の目的は、所与のＲ１のアノード及び所与の有機層抵抗ｒｏｒｇを有し、輝度の均一性の前提基準を満足する、可能である最大のＯＬＥＤを製造することである。
【００１８】
本出願人は、アノード及びカソードの接続の位置、特にそれらの互いに関する位置決めが、それらの形状と同様に重要であることに言及しておく。従って、均一性の真の増加のためには、
・アノードコンタクトを慎重に選択すること、特にそれらの位置及びそれらの抵抗を慎重に選択すること（それらが要求どおりに製作されるように）、
・第１カソードコンタクトを正確に配置すること、
・そして第１カソードコンタクトをテーラードアノードコンタクトから十分に離すこと、
が重要である。
【００１９】
このようにして、照射面全体にわたってカソードとアノードとの間の可能な限り最も一定の電位差が得られる。
【００２０】
ｒ（又はｒ’）が増加するほど、コンタクト面を増加させる必要がある。
【００２１】
特に製造の困難さのために、ｒ比は２．５に制限される。
【００２２】
「反対側の端部」という表現は、広義で解釈され、丸みを帯びたアノード領域（ディスク状、卵形の輪郭など）の２つの向かい合ったゾーンを包含する。
【００２３】
Ｄは、箇所Ｂがどのようなものであっても一定であることができ、あるいは、ｒ比の選択に大きく依存する本発明によるＤ／Ｌ比を保持しながら変化してもよい。
【００２４】
より良好な均一化のためには、第１カソードコンタクトは第１アノード領域（電位Ｖにある）の端部から最も離れた領域に存在する。
【００２５】
実際、アノード電位が最も大きく降下するのはこれらの離れた領域である。従って、本発明によれば、カソードにおける電位の降下を補償する必要があり、この電位の降下は本発明による第１カソードコンタクトによって生じる。
【００２６】
一般的なアノード領域の形状（多角形、円形など）の場合、これは必然的に第１アノード領域の中央領域、従って中心及びその周囲である。
【００２７】
従って、第１カソードコンタクトは、有利には、第１アノード領域の中央領域（言い換えると、中央）から少なくともテーラードアノードコンタクトの方向に能動ゾーンの端部に向かって延在することができる。
【００２８】
Ｄ／Ｌの上限は、本発明による第１カソードコンタクトが点状（又は非常にに微細な）タイプのコンタクトから逸脱することを想起させる。
【００２９】
従って、第１カソードコンタクトは十分なコンタクト面を示すことが重要である。
【００３０】
例えば、中央ゾーンの一部を不均一なままにするカソードコンタクトは本発明に従うものではない。反例として、
・第１アノード領域の中央ゾーンで間隔が開きすぎている複数の部分におけるカソードコンタクト、
・細すぎるフレーム又は環状部を形成する中空カソードコンタクト、
を挙げることができる。
【００３１】
別の反例のカソードコンタクト（本発明に従わない）は、能動ゾーンの外側のカソードコンタクトである。
【００３２】
更に別の反例のカソードコンタクト（本発明に従わない）は、（幅Ｄの）能動ゾーンの内周だけ又は能動ゾーン全体を占める（抵抗性あるいはテーラード）コンタクトのネットワーク、例えば格子又は平行バンドである。
【００３３】
本発明によるカソードコンタクトは、能動ゾーン及び／又は第１アノード領域の対称性を必ずしも再現するわけではない。
【００３４】
カソードは好ましくは、特に製作方法に応じた許容差、例えば被着タイプの薄層に関しては±１０％、を有する一定の所与の厚さのものである。
【００３５】
本発明によるＯＬＥＤは、例えば第１アノード領域の長さ又は直径が少なくとも１０ｃｍ、又は実際において１５ｃｍであることができるような特性寸法、すなわち最大の寸法も、照明することを特に目的とする。
【００３６】
アノードとカソードとの電位差が照明に適するように、特にＶｃとなるように、電位Ｖｃで電気の供給を受けるカソードは、接地される。
【００３７】
従来型の厚いカソードが理想的であると考えられており、つまりそれは自身でカソードコンタクト（カソードのあらゆる箇所で等電位）を形成する。本発明は、カソードのシート抵抗Ｒ２の増加及びコンタクト面に関する基準によってそのようなカソードから区別される。
【００３８】
コンタクト面は、ベタ面、格子状面（等電位を維持するように設計される）であることができ、この面は場合によって星状である。
【００３９】
実際、ベタ面であっても、コンタクト面は、太いか又は細い分岐（特に、線と見なされ得るもの）を有する星状であることができる。好ましくは、分岐の末端は最も接近したテーラードアノードコンタクトの箇所Ｂ１から距離Ｄ１だけ相隔たり、Ｄ１／Ｌ１はＤ／Ｌに関する同じ基準に従う。
【００４０】
（実質的に）ベタのコンタクト面（特にアノード上に被着させた層）は面の不連続性を示すことができるが、これはテーラードアノードコンタクトから最も離れた領域でその等電位の機能を阻害することはできない。
【００４１】
ベタ面は、特に、少なくともテーラードアノードコンタクトに面する凸面であってもよい。
【００４２】
また、既に述べたように、ベタのコンタクト面は中抜けタイプでないことが好ましい。
【００４３】
能動ゾーンはベタタイプのものであることが更に好ましい。少なくとも１つの（強い）くびれを有する能動ゾーンの場合、このくびれに面するテーラードアノードコンタクトを有しないことが好ましいであろう。
【００４４】
カソードコンタクトは自立式でカソード上に重ねることができ、例えば１組のワイヤ、シート状などであることができる。
【００４５】
好ましくは、第１カソードコンタクトの厚さは一定である。
【００４６】
第１カソードコンタクトは、テーラードアノードコンタクトを含まない能動ゾーンの端部のゾーンまで延在することができる。
【００４７】
その一部のための第１テーラードコンタクトは、ベタの層もしくはメッシュタイプの層（バンドを形成する緊密な格子など）であることができ、あるいは実際において、例えば数ｍｍ未満離れた、電流を分配するために十分接近しあった１組の点状アノードコンタクトであることができる。
【００４８】
特に実質的に直線的な、第１テーラードコンタクトは、周辺のコンタクトでよく、周辺とは広い意味で解釈され、従って、
・発光システムの端部（及び上方のカソードの端部）から突出したアノード端部上、従って（少なくとも一部分において）能動ゾーンの外側の周辺であり、そして特にパッシベーションによってカソードの端部及び有機層から分離されている、
・及び／又は発光システム（及び上方のカソード）によって覆われたアノード端部上にあり、パッシベーション層、例えばポリイミドによってパッシベーションされ、従って（少なくとも一部分において）能動ゾーンの内側の周辺にある、
と解釈される。
【００４９】
第１外部周辺テーラードコンタクト及び／又は任意の第２外部周辺テーラードアノードコンタクトは、好ましくは能動ゾーンの最も近い端部からＬ／１０未満、あるいは実際においてＬ／２０未満の距離Ｗにある。
【００５０】
好ましくは、周辺コンタクトである（任意選択的な第２周辺テーラードアノードコンタクトのように）第１テーラードコンタクトは能動ゾーンの周辺（内部又は外部）に沿って位置し、能動ゾーンの周辺から一定の（又はほぼ一定の）距離にある。
【００５１】
外側及び／又は内側の第１周辺テーラードコンタクトは、好ましくは能動ゾーンの最も近い端部から１０ｍｍ未満、実際において５ｍｍ以下、又は実際において（一部において）能動ゾーンの端部上（いずれかの側から突き出した状態）にある。
【００５２】
周辺アノード（外部及び／又は内部）の任意選択的な第２周辺テーラードアノードコンタクトは、好ましくは能動ゾーンの最も近い端部から１０ｍｍ未満もしくは実際において５ｍｍ未満の距離（好ましくは一定）であるか、又は実際において（一部において）能動ゾーンの端部上（いずれかの側から突出した状態）にある。
【００５３】
第１テーラードコンタクトはアノード端部上にあってもよい。
【００５４】
好ましくは、第１アノード領域（特にアノード面の独自の領域の場合）の形状は、能動ゾーンの形状、例えば円形輪郭のための１組の直線状セグメントから形成されるものに、（実質的に）対応するか又はそれに近い。
【００５５】
第１及び／又は任選択的な第２テーラードアノードコンタクト（特に周辺の）は、実質的に直線状、曲線状などであることができる。
【００５６】
典型的には、テーラードアノードコンタクト（延在する、あるいは点状の）の幅はｃｍのオーダーである。恐らくは、第１テーラードアノードコンタクトを有する能動ゾーンにおいて出て行く光はない。なぜなら、第１テーラードアノードコンタクトは非常に不透明であるからである。
【００５７】
更に、上述の先行技術とは対照的に、許容される輝度レベルは、反射体によって守られる。典型的には、反射体は少なくとも８０％の視感反射率ＲＬ（有機システムの方に向かって）を有することができる。
【００５８】
能動ゾーンがフレーム又は環状などの中空タイプのものである場合、第１アノードコンタクトは能動ゾーンの最も外側の輪郭上にあり、そして別のテーラードアノードコンタクトを能動ゾーンの最も内側の輪郭上に配置することが好ましい。この別のテーラードアノードコンタクトの箇所Ｂ’とカソードコンタクトに最も近い箇所Ｃ’との距離Ｄ’及び箇所Ｂ’とＣを通過する最も外側のアノード輪郭上の箇所Ｂとの距離Ｌ’を、Ｄ及びＬと同じように規定することが可能であり、そしてＤ’／Ｌ’の比がｒの関数として定義される。
【００５９】
より厳密に言えば、Ｄ’は、Ｂ’と、アノードに平行なＢ’を通過する平面におけるＣ’の垂直投影点との距離であるが、ＯＬＥＤの高さが小さいことを考慮して、先に規定した基準がこれによって変更されることはない。
【００６０】
そして同様により厳密に言えば、Ｌ’は、箇所Ｂ’と、アノードに平行なＢ’を通過する平面におけるＣ’の垂直投影点を通過する、Ｂとの距離であるが、ＯＬＥＤの高さが小さいことを考慮して、先に規定した基準がこれによって変更されることはない。
【００６１】
従って、Ｄ’及びＬ’をアノードに平行なＢ’を通過する平面で定義することが好ましいであろう。
【００６２】
有機発光システムはアノードの上方にあり、すなわち、
・特に、アノード機能に電気伝導性の任意選択的な平坦化も組み入れることによって、アノードの直上にあり、
・さもなければ、能動ゾーンの内側のテーラードアノードコンタクトのパッシベーションの直上にあり（後述のとおり）、
・特に、アノード機能に電気伝導性の任意選択的な平坦化も組み入れることによって、アノードの直上にあり、
・さもなければ、能動ゾーンの内側の抵抗性アノードコンタクトのパッシベーションの直上にある（後述のとおり）。
【００６３】
典型的には、アノード（基材の直上の、又は例えば光抽出のための層によって切り離されたアノード）で覆われた基材は、少なくとも７０％の視感透過率を有することができる。
【００６４】
本発明によると、「薄層」とは、厚さが１ミクロン未満、あるいは実際において５００ｎｍ未満、又は実際において１００ｎｍ未満の層（正確に明記されていなければ単層又は多層）を意味するものである。
【００６５】
本発明によると、「層」とは、はっきりと明記されていなければ、単層又は多層を意味するものである。
【００６６】
更に良好な均一化のためには、以下のこと、すなわち、
・０．０４≦ｒ＜０．１である場合、４０％＜Ｄ／Ｌ＜４８％、
・０．１≦ｒ＜０．５である場合、３０％＜Ｄ／Ｌ＜４５％、
・０．５≦ｒ＜１である場合、２０％≦Ｄ／Ｌ≦４０％、あるいは実際において２５％≦Ｄ／Ｌ≦３５％、
・１≦ｒ＜１．５である場合、１０％＜Ｄ／Ｌ≦３５％、
・１．５≦ｒ＜２．５である場合、１５％≦Ｄ／Ｌ≦２５％、
であることが好ましい。
【００６７】
特に、以下の基準（特に、テーラードアノードコンタクトの閉鎖もしくは擬似閉鎖輪郭又は間隔を開けた１組の延在するアノードコンタクトに関して）、すなわち、
・０．１≦ｒ＜０．５の場合、３０％＜Ｄ／Ｌ＜４５％、
・０．５≦ｒ＜１の場合、２０％≦Ｄ／Ｌ≦４０％、又は実際において２５％≦Ｄ／Ｌ≦３５％、
・１≦ｒ≦１．５の場合、１０％＜Ｄ／Ｌ＜３５％、
が好ましい。
【００６８】
第１カソードコンタクトは、好ましくは第１アノード領域で連続していてよく、特に金属のベタ層（単層又は多層）であり、及び／又は好ましくはコンタクト面は中空でない（少なくとも中心では）。
【００６９】
アノードは、複数のアノード領域の輪郭を規定するテーラードアノードコンタクトのいくつかの群と接触してもよい。各アノード領域において、ＯＬＥＤデバイスは、前記アノード領域の上方に配置され（詳細は後述するように任意選択的な被覆要素又はブラッグミラーと隣接して）、アノード領域の表面積よりも小さな所与の面を有し、前記アノード領域の上方のカソードの領域を部分的に覆い、そしてコンタクト面の全ての箇所Ｃで関連するテーラードアノードコンタクトからオフセットしていて、且つＤ／Ｌについて先に記載した基準をｒの関数として満たす、カソードコンタクトを含むことができる。
【００７０】
従って、テーラードアノードコンタクトは、例えば三角形、長方形、正方形、ハニカムなどのメッシュのアノードの（従って能動ゾーンの）、床張りのような層を形成することができる。
【００７１】
上記アノード領域は、同一又は異なる大きさを有するものであり、また同一又は異なる形状を有するものである。
【００７２】
ＯＬＥＤデバイスは、第１アノード領域に配置され、第１テーラードアノードコンタクト及び／又は任意選択的な第２テーラードアノードコンタクトに連結された１以上のいわゆる抵抗性アノード電気コンタクト、場合により相互接続された抵抗性コンタクトを、特に電気伝導性層として含んでもよい。
【００７３】
そして０．０１〜２．５の範囲のｒ比＝Ｒ２／Ｒ１は、この場合０．０１〜２．５の範囲のｒ’ 比＝Ｒ２／Ｒ’１と取り替えられ、ここでのＲ’１は第１アノード領域におけるアノードと抵抗性コンタクトとの集合体の等価シート抵抗であり、Ｄ／Ｌの基準は保持される。
【００７４】
当然ながら、以下のこと、すなわち、
０．０４≦ｒ’＜０．１である場合、４０％＜Ｄ／Ｌ＜４８％、
０．１≦ｒ’＜０．５である場合、１０％＜Ｄ／Ｌ＜４５％、
０．５≦ｒ’＜１である場合、２０％≦Ｄ／Ｌ≦４０％、又は実際において２５％≦Ｄ／Ｌ≦３５％、
１≦ｒ’＜１．５である場合、１０％＜Ｄ／Ｌ≦３５％、
１．５≦ｒ’＜２．５である場合、１５％≦Ｄ／Ｌ≦２５％、
であることが好ましい。
【００７５】
抵抗性コンタクトは、作動中に抵抗性コンタクトの特定の箇所がテーラードアノードコンタクトの電位とは絶対的な関係として５％超、又は実際において少なくとも１０％もしくは更には２０％異なる電位Ｖｒであるような抵抗を有するものである。
【００７６】
従って、アノードの包括的抵抗を、抵抗性コンタクトの抵抗を透明アノード層の抵抗と並列に配置したものとして定義することができる。
【００７７】
抵抗性コンタクトは、テーラードコンタクトと同一の材料のものでよいが、但しそれよれよりもはるかに微細で、例えば１ｍｍ未満でよい。
【００７８】
美的目的のためには、能動ゾーンに１以上のテーラードアノードコンタクトのないＯＬＥＤデバイス、又は実際において能動ゾーン中に１以上の抵抗性アノードコンタクト（概してかなり微細であったとしても）のないＯＬＥＤデバイスが好ましいかもしれない。
【００７９】
アノードコンタクト（テーラード又は抵抗性）は、０．２μｍと１０μｍの間の厚さの層の形態であることができ、好ましくは次の金属、すなわちＭｏ、Ａｌ、Ｃｒ、Ｎｂのうちの１つ、又はＭｏＣｒ、ＡｌＮｂなどの合金の単層の形態、あるいはＭｏ／Ａｌ／ＭｏもしくはＣｒ／Ａｌ／Ｃｒなどの多層の形態であることができる。
【００８０】
それは、シルクスクリーン印刷された銀のコンタクト（銀エナメル）又はインクジェットによって被着させたものであってもよい。
【００８１】
アノード上のかなり微細なメッシュの抵抗性電気コンタクト、典型的には正方形の金属ネットワーク又はハニカムによって、アノードのＲ１を減少させることは既に知られている。
【００８２】
ストランドは、幅がほぼ５０〜１００μｍ程度のものであり、ネットワークのピッチは一般に１／５ｍｍであり、従って１％と５％の間の閉塞をもたらす。
【００８３】
Ｒ１’は例えば０．５Ωから５Ωまで変わり得る。実際には、Ｍｏ又はＣｒ（１００ｎｍ）／Ａｌ（５００ｎｍ〜１０００ｎｍ）／Ｍｏ又はＣｒ（１００ｎｍ）の多層を、例えば１４０ｎｍのＩＴＯ上に被着させる。この多層をその後、一般にはフォトリソグラフィー法で化学的にエッチングして、抵抗性コンタクトと、所望に応じて同じ物質であるがもっと幅の広いテーラードアノードコンタクトを形成する。
【００８４】
こうしてアノード領域では、あらゆることが、あたかもアノードと抵抗性アノードコンタクトとを並列に配置しているのと同等の抵抗のアノードが存在しているかのように起こる。
【００８５】
この場合、抵抗性アノードコンタクトでは、ＯＬＥＤの端部から離れるにつれ電圧が次第に減少する。
【００８６】
場合によっては、アノードの接続部を能動ゾーンの外側に配置するのが好ましく、これが、接続部（周辺テーラードアノードコンタクトと連結されている）が能動ゾーンから突き出たアノードコンタクトゾーンに配置される理由である。
【００８７】
場合によっては、カソードの接続部を能動ゾーンの外側に配置することが好ましく、これが、カソードコンタクトに連結した接続部が能動ゾーンから突き出た「カソードコンタクト」ゾーンに配置される理由である。
【００８８】
同様に、第１カソードコンタクトと連結された１以上のカソード抵抗性コンタクトが、例えば電気伝導性層として、存在してもよく、抵抗性コンタクトは所望に応じて相互接続され、特に第１カソードコンタクトとＯＬＥＤの端部との間のゾーン全体にわたって分布している。
【００８９】
この場合、Ｒ２はカソードと抵抗性コンタクトとの集合体の等価シート抵抗に相当する。
【００９０】
抵抗性コンタクトは、例えば、作動中に抵抗性コンタクトの特定の箇所が第１カソードコンタクトの電位Ｖと絶対的な関係として２％超、又は実際において少なくとも４％もしくは更には８％異なる電位Ｖｒであるような抵抗を有するものである。
【００９１】
第１テーラードアノードコンタクトは、単独であるいは閉鎖又は擬似閉鎖輪郭の第２テーラードアノードコンタクトとともに第１アノード領域の全部又は一部を区切り、輪郭は所望に応じて能動ゾーンの１以上の端部（あるいはより正確にはアノードコンタクトのないアノードゾーンの端部）によって補完される。
【００９２】
そして、第１の好ましい実施形態において、第１テーラードアノードコンタクトは単独で又は第２テーラードアノードコンタクトとともに延在して、閉鎖輪郭又は、特に少なくとも１つの開口部を残存させて例えばカソード接続部をもたらす、擬似閉鎖輪郭を形成する。
【００９３】
「疑似閉鎖輪郭」は、第１アノード領域の輪郭の少なくとも７０％、又は実際において８０％、又は更には少なくとも９０％を包含する輪郭を意味するものである。
【００９４】
例えば、テーラードアノードコンタクトのないゾーンの長さは、例えば制限された寸法であり、特に５ｃｍ未満、又は実際において１ｃｍ未満（例えば少なくとも１０ｃｍの能動ゾーン寸法について）である。同様に、それはいくつかの制限された開口部を有してもよい。
【００９５】
前記疑似閉鎖輪郭と、ｒ又はｒ’の関数としてのＤ／Ｌの前記範囲とを有する正方形、長方形又は円形の能動ゾーンが特に好ましい。
【００９６】
特に、第１テーラードアノードコンタクト（内部の及び同様に外部の）が能動ゾーンの周辺コンタクトである場合、（テーラード又は抵抗性）アノードコンタクトのない１以上のゾーンが、第１アノード領域の輪郭を補完する。従って、このアノードコンタクトのないゾーンにおいては、
・その末端のうちの１つを経て、能動ゾーンから外側へ張り出したカソードコンタクトを作ることにより（このゾーンはもはやカソードコンタクトゾーンとしてではなくカソード接続ゾーンとして定義される）、
・又は一方の側で能動ゾーンから張り出した反射体を作ることにより、
カソードに給電することが可能である。
【００９７】
従って、例えば、
・開口部を有する第１テーラードコンタクトを形成する第１の単一バンド、
・第１テーラードコンタクトを形成する第１バンド及び、例えば角を有する第１アノード領域（例えば三角形からハニカムまでの）の１、２、３、４個など、又は実際においてＸ個の角の、１、２、３、４など、又は実際においてＸ個の開口部によって分離されている、その他のバンド（例えば端部ごとに１つ）、
が存在してもよい。
【００９８】
閉鎖又は擬似閉鎖輪郭のテーラードアノードコンタクトの場合には、第１カソードコンタクトは、第１アノード領域の端部に関して（又は実際において、外部テーラードアノードコンタクトの場合は、好ましくは能動ゾーンの端部に関して）（実質的に）中央に位置することができる。
【００９９】
第１カソードコンタクトは、例えば、特に正方形又は長方形の形状の、第１アノード領域で、輪郭が電流線に対して直角のコンタクト面を有する。
【０１００】
好ましくは、閉鎖又は擬似閉鎖輪郭のテーラードアノードコンタクトの場合、特に中央に配置された、第１カソードコンタクトは、第１アノード領域の、又は実際において外部テーラードコンタクトの場合は能動ゾーンの、面に対して（実質的に）相似である面を有することができる。
【０１０１】
最低限でも、第１の延在するテーラードアノードコンタクトに最も近いコンタクト面の箇所の輪郭は、第１の延在するテーラードアノードコンタクトの形状又は能動ゾーンの輪郭の形状に従うことができる。
【０１０２】
ｒ（又はｒ’）比は、アノード及びカソードコンタクトの幾何学的形状に応じて調整することができ、又はその逆もできるが、やはり所与のｒ又はｒ’について最適のコンタクト面（寸法、及びそれだけでなく幾何学的形状も）も存在する。
【０１０３】
ｒ又はｒ’に応じて相似面を形成しそして前述のＤ／Ｌの範囲となる前記疑似閉鎖輪郭を有する正方形又は長方形又は円形の能動ゾーンが、特に好ましい。
【０１０４】
好ましくは、閉鎖又は擬似閉鎖輪郭のテーラードアノードコンタクトの場合、第１アノード領域は正方形又は長方形であることができ、第１カソードコンタクトは十字形にされ、中央に置かれ、第１アノード領域の（又は能動ゾーンの）の対角線に沿って、例えば±５°以内に交差配向されて、ｒ（又はｒ’）比は１．１±０．１に等しい。
【０１０５】
当然ながら、厳密な意味での十字（４つの直交する長方形セグメント）から逸脱することが可能であり、例えば４つの分岐を有するロゼット形状を用いることが可能である。
【０１０６】
閉鎖又は擬似閉鎖輪郭のテーラードアノードコンタクトの場合には、更に、カソード上のディスク形状の中央コンタクトに最適のコンタクト面が、最適なＲ２（所定のＲ１に対して）とともに存在する。
【０１０７】
カソード上のコンタクト面が非常に小さい場合、カソードにおける電流密度はコンタクト付近で非常に大きくなり（電流全体がコンタクトに向かって集中し、デバイスからアース端子へ出ていくため）、従って電圧降下はコンタクトに近接したカソードで非常に顕著となって、その結果更なる均一性をもたらす。
【０１０８】
中間のコンタクト面の場合には、カソードの電圧降下がアノードの電圧降下を補償して、均一性は２つの極端な場合（小さな面又は完全な面、すなわち理想的カソードと見なされる）におけるよりも良好である。
【０１０９】
最適条件はＯＬＥＤの大きさ及び有機層の抵抗とは無関係である。
【０１１０】
従って、第１テーラードアノードコンタクトが閉鎖又は擬似閉鎖輪郭を形成する場合、第１アノード領域はディスク形状であり、第１カソードコンタクトは中央にあって、好ましくはディスク形状であり、１≦ｒ（又はｒ’）＜１．５且つ２０％＜Ｄ／Ｌ≦３０％となる。
【０１１１】
特に（擬似）閉鎖輪郭の構成においては、ｒ（又はｒ’）が増加するほど、コンタクト面を増大させることが必要になる。
【０１１２】
ディスクを近似する（例えば６つ、又は実際において８つの辺に基づいて）多角形の場合に、この「ディスク」の解決策が特に好適である。
【０１１３】
間隔をあけた複数のテーラードアノードコンタクトを備えた本発明の１つの実施形態において、第１テーラードアノードコンタクトは延在するコンタクト（バンドなど）であることができ、第２テーラードアノードコンタクトのうちの少なくとも２つは延在するタイプのものであり、そしてＬｐ＜０．２５Ｐであるのが、又は実際においてＬｐ≦０．１５Ｐであるのが好ましく、Ｌｐはそれぞれの延在するテーラードコンタクト間の距離、Ｐは第１アノード領域の周辺長である。
【０１１４】
当然ながら、点状テーラードアノードコンタクトを延在するアノードコンタクトの間に加えることが可能である。
【０１１５】
好ましくは、延在するコンタクトは規則的に分布している。
【０１１６】
間隔をあけた複数のテーラードアノードコンタクトを備えた本発明の１つの実施形態では、第１テーラードアノードコンタクトは点状タイプのコンタクトであり、点状タイプの第２テーラードアノードコンタクトが第１アノード領域の範囲を画定するように分配されて、特に各能動ゾーンの端部に面して存在し、そして各点状テーラードコンタクト間の距離は第１アノード領域の最大距離Ｌｍａｘの半分未満であるか、又は実際においてＬｍａｘ／４未満、又はＬｍａｘ／８未満である。
【０１１７】
実際のところ、点状アノードコンタクトは間隔が離れすぎないのが好ましい。
【０１１８】
好ましくは、点状コンタクトは規則的に分布している。
【０１１９】
当然ながら、点状テーラードアノードコンタクトと延在するアノードコンタクトとを混ぜることが可能である。
【０１２０】
更に、Ｒ２を調整することから、カソードは透明又は半反射性であることができ、特に８０％未満、又は実際において６０％以下、又は実際において５０％以下の反射率ＲＬを有するものであることができる。
【０１２１】
カソードは、放射光が、好ましくは過度に吸収されずに、通過するのを可能にする。
【０１２２】
第１の構成（透明又は半透明のカソードを有する）において、反射体は金属の反射被覆要素、特に（薄い）層を、第１主面から離れたカソードの上に含むことができ、この被覆要素は、特に層状の、電気絶縁要素、いわゆるインサートによってカソードから切り離される。
【０１２３】
インサートに隣接し（そして少なくとも部分的にインサートによって取り囲まれた）第１カソードコンタクトは、反射体の一部を形成することもでき、好ましくは反射被覆要素と接触するか、又は実際においてそれと電気的に結合される。
【０１２４】
反射被覆要素は、次のもの、すなわち、
・インサート上に、又はインサートに対して重ねられた（好ましくは光学的に接触した）カウンター要素（ガラス、プラスチックフィルムなど）の内面上に、物理的気相成長によって被着された層、
・Ｃｕ、ステンレス鋼、Ａｌ、Ａｇなどの金属シート、 
であることができる。
【０１２５】
好ましくは層状である反射被覆要素は、例えば、Ａｌ、Ａｇ、Ｃｕ、Ｍｏ、Ｃｒから選択される少なくとも１種の金属を基礎材料とする。
【０１２６】
インサートは、放射光が、好ましくは過度に吸収されずに、通過するのを可能にするように選択することができる。例えば、インサートは透明であり、好ましくはＴＬ＞９０％のものであって、非常に非吸収性であり、特にＡ＜３％である。
【０１２７】
インサートは、次のもの、すなわち、
・薄層カソード上に物理的気相成長によって被着された、又は実際において反射体がプレート（ステンレス鋼など）などである場合には接着剤によって被着された、層、
・空気、この場合反射体は能動ゾーンの周辺のスペーサーによって切り離される、
・オーバーレイフィルム、例えばラミネーションインサート（ＰＶＢタイプ）、
であることができ、そして反射体は例えば反射層を有するガラス基材である。
【０１２８】
インサートは、
・無機物であり、好ましくは窒化物、酸化物、酸窒化物から選択される無機物、例えば窒化ケイ素であり、
・又は樹脂であり、例えばＯＬＥＤの端部をパッシベーションするための樹脂と同一の樹脂、特にポリイミドであり、
・及び／又は任意選択的に、例えば、バインダー中に、特に無機物中に、拡散用粒子、特に無機物を添加することによって、拡散する、
（単）層（特に１００ｎｍ未満の厚さのものであり、厚さはその吸収率に応じて調節される）を含んでなるか、又は実際においてそのような（単）層からなるのが好ましい。
【０１２９】
好ましくは、この第１の構成においては、第１カソードコンタクトは金属被覆要素と同じ材料に基づく層を含み、それはアルミニウムに基づく層であるのが好ましい。
【０１３０】
カソードコンタクトは、次のもの、すなわち、
・カソード上に被着した層：導電性接着剤、所望の形状に従いインクジェット又はシルクスクリーン印刷によって被着した層、ＰＶＤにより被着し必要に応じパターン化した薄層、はんだ接合又は溶接などにより被着した薄層、
・及び／又は所定の形状を有するオーバーレイフィルム：ホイルリーフなど、
であることができる。
【０１３１】
好ましくは層状のカソードコンタクトは、好ましくはＡｌ、Ａｇ、Ｃｕ、Ｍｏ、Ｃｒから選択される少なくとも１種の金属を基礎材料とする。
【０１３２】
特に、カソードコンタクト及び反射用被覆要素は、インサート（層状の）及びカソード上の連続層によって形成することができ、そして好ましくは、カソードコンタクト、あるいは実際において当該連続層は、カソードと同じ材料、特にアルミニウムを基礎材料とする。
【０１３３】
このようにして、オフ状態で、連続層はミラーを形成することができ、そしてカソードコンタクトは被覆要素と識別されない。
【０１３４】
被覆要素及びカソードコンタクト（そして更にはカソードあるいはインサート）のためには単一の被着技術（例えば、物理的気相成長ＰＶＤ、特に陰極スパッタリング又は蒸着）を、あるいは実際において更に被覆要素及びカソードコンタクトのために層を被着する単一の工程を、使用することが望ましいであろう。
【０１３５】
もっと広く言うと、カソードのために考えられる材料としては、
・金属：アルミニウム、ベリリウム、マグネシウム、カルシウム、ストロンチウム、バリウム、ランタン、ハフニウム、インジウム、ビスマス、
・及びランタニド：セリウム、プラセオジム、ネオジム、サマリウム、ユウロピウム、ガドリニウム、テルビウム、ジスプロシウム、ホルミウム、エルビウム、ツリウム、イッテルビウム、及びルテチウム、
を挙げることができる。
【０１３６】
特に好ましいのは、アルミニウム、銀、バリウム、カルシウム、サマリウムであり、これらは多くの場合、それらの仕事関数が小さいために用いられる。
【０１３７】
下記の表１は、次のものを提示している。
アルミニウム（選択された厚さに応じて透明又は半透明であり得る）のＲ２。
選択された厚さに応じて透明又は半透明であり得る、９００ｎΩ・ｍの抵抗率（単位質量当たり）のサマリウムのＲ２。
選択された厚さに応じて透明又は半透明である、３３２ｎΩ・ｍの抵抗率（単位質量当たり）のバリウムのＲ２。
【０１３８】
【表１】
2015503821.tif 000003
【０１３９】
Ｒ２は、１Ω／□以上、又は実際において３Ω／□以上で、２０Ω／□未満であるのが好ましい。
【０１４０】
好ましい様式においては、カソードは少なくとも１種の金属、好ましくはＡｌ及びＡｇから選択される金属、を基礎材料とし、任意選択的に当該金属層の下にある、例えば厚さ＜３ｎｍの、ＬｉＦの層を有する。
【０１４１】
特に、カソードは、アルミニウムに基づく層を含むことができ、あるいは実際においてアルミニウムに基づく層から構成され、そしてカソードコンタクトはアルミニウムに基づく層であって、例えばアルミニウムのカソード層上の厚くなった部分を形成する。
【０１４２】
第２の構成（透明又は半透明のカソードを有する）においては、反射体はブラッグミラーであり、ブラッグミラーはカソード上にカソードコンタクトに隣接して配置され、そしてカソードコンタクトが反射体の一部を形成する。
【０１４３】
ブラッグミラーは、ＴｉＯ２、ＺｒＯ２、Ａ１２Ｏ３、Ｓｉ３Ｎ４などの大きい屈折率ｎ１の薄層と、ＳｉＯ２、ＣａＦ２などのそれより小さい屈折率ｎ２の薄層とが交互になって形成される積重体として知られる。
【０１４４】
例えば、屈折率ｎ２−ｎ１の差分は少なくとも０．３、好ましくは少なくとも０．６であり、そして積重体は、少なくとも２つの高屈折率層と２つの低屈折率層とを含んでなる。
【０１４５】
こうして、５７０ｎｍ付近を中心とする波長のＯＬＥＤについて、多層積重体ＴｉＯ２  ６０ｎｍ／ＳｉＯ２  ９５ｎｍ、又は実際において任意選択的にこの多層積重体の重ね合わせを想定することが可能である。
【０１４６】
ＯＬＥＤのためにブラッグミラーを使用することは当業者に周知であり、当業者は場合により以下の刊行物を参照することができる。
・Appl. Phys. Lett. 69, 1997 (1996); Efficiency enhancement of microcavity organic light emitting diodes; R. H. Jordan, A. Dodabalapur, and R. E. Slusher。
・JOSA B, Vol. 17, Issue 1, pp. 114-119 (2000), Semitransparent metal or distributed Bragg reflector for wide-viewing-angle organic light-emitting-diode microcavities; Kristiaan Neyts, Patrick De Visschere, David K. Fork, and Greg B. Anderson。
【０１４７】
カソードコンタクトはブラッグミラーに接してもよい。
【０１４８】
カソードコンタクトは、例えば能動ゾーンから突き出してカソード接続部のゾーンを形成しているその端部の１つによって接続される。
【０１４９】
本発明はまた、第１主面を有する透明基材を有する背面発光型有機発光デバイスの輝度を均一化するための方法であって、当該透明基材が当該第１面から始まって、
・透明であり、好ましくは少なくとも１つの電気伝導性層を含むアノードであって、所与のシート抵抗Ｒ１、特に３０Ω／□未満、あるいは実際において１５Ω／□以下、又は更には１０Ω／□以下のＲ１のアノードを形成している下部電極、
・アノードの上方の有機発光システム、
・有機発光システムの上方にあり、電気伝導性層を含むカソードであって、所与のシート抵抗Ｒ２及び好ましくは一定の所与の厚さのカソードを形成している上部電極、
をこの順序で含んでなる積重体を含んでいて、その結果アノード、有機発光システム及びカソードが共通のいわゆる能動ゾーンを画定している、背面発光型有機発光デバイスの輝度を均一化するための方法も提案するものである。
【０１５０】
この方法は、
・第１テーラードアノードコンタクトと称される、少なくとも１つのアノード電気コンタクト、
・第１カソードコンタクトと称される、少なくとも１つの第１カソード電気コンタクト、
を含み、該方法は、ｒ比＝Ｒ２／Ｒ１を０．０１〜２．５に調節すること、及びカソードコンタクトを能動ゾーンの上方、特に能動ゾーンの端部から最も離れたゾーンに配置すること、そして１００ｎｍのアルミニウムカソードを選択することによって異なるＯＬＥＤデバイスのアノードゾーンの輝度均一性に対して５％以上大きい、あるいは実際において１０％以上大きいアノードゾーンの輝度均一性Ｈが得られるように、コンタクト面の大きさを選択すること（本質的に能動ゾーンの面全体にわたってカソードコンタクトを形成すること）、を含み、
・上述したように、特に前記インサートをカソードコンタクトに隣接して挿入することによって、カソードの上方に反射体を追加すること、
を含む。
【０１５１】
０．１（又は０．５）から２．５まで、又は実際において１．５までのｒ（又はｒ’）比が更に好ましい。
【０１５２】
次に、本発明を、非限定的な例及び図面を活用して更に詳細に説明する。
【図面の簡単な説明】
【０１５３】
【図１】図１は本発明による有機発光デバイスの模式断面図である。
【図１ａ】図１ａはアノードコンタクト及びカソードコンタクトを示す、図１のＯＬＥＤデバイスの上方からの模式図である。
【図１ｂ】図１ｂは第１の変形実施形態における図１のＯＬＥＤデバイスの上方からの模式図である。
【図１ｃ】図１ｃは第２の変形実施形態における図１のＯＬＥＤデバイスの上方からの模式図である。
【図１ｂｉｓ】図１ｂｉｓはカソードの接続部を示すＯＬＥＤデバイスの模式断面図である。
【図１ｔｅｒ】図１ｔｅｒはカソードの接続部を示すＯＬＥＤデバイスの模式断面図である。
【図１ｄ】図１’は本発明によるＯＬＥＤデバイスの模式断面図である。
【図１ｅ】図１’ａはアノードコンタクト及びカソードコンタクトを示す、図１’のＯＬＥＤデバイスの上方からの模式図である。
【図２】図２はいくつかのアノード領域及びカソードコンタクトを有するＯＬＥＤデバイスの上方からの模式図である。
【図２ａ】図２ａはアノードコンタクト及びカソードコンタクトを示す、図２のＯＬＥＤデバイスの上方からの模式図である。
【図３】図３は特定の形状の能動ゾーンを有するアノードコンタクト及びカソードコンタクトを示す、ＯＬＥＤデバイスの上方からの模式図である。
【図４】図４は特定の形状の能動ゾーンを有するアノードコンタクト及びカソードコンタクトを示す、ＯＬＥＤデバイスの上方からの模式図である。
【図４ａ】図４’は特定の形状の能動ゾーンを有するアノードコンタクト及びカソードコンタクトを示す、ＯＬＥＤデバイスの上方からの模式図である。
【図４ｂｉｓ】図４ｂｉｓは本発明によって得られる輝度の均一性のグラフである。
【図５】図５は特定の形状の能動ゾーンを有するアノードコンタクト及びカソードコンタクトを示す、ＯＬＥＤデバイスの上方からの模式図である。
【図６ａ−６ｄ】図６ａ〜図６ｄは特定の形状の能動ゾーンを有するアノードコンタクト及びカソードコンタクトを示す、ＯＬＥＤデバイスの上方からの模式図である。
【図７】図７は特定の形状の能動ゾーンを有するアノードコンタクト及びカソードコンタクトを示す、ＯＬＥＤデバイスの上方からの模式図である。
【図８】図８は特定の形状の能動ゾーンを有するアノードコンタクト及びカソードコンタクトを示す、ＯＬＥＤデバイスの上方からの模式図である。
【図９】図９は特定の形状の能動ゾーンを有するアノードコンタクト及びカソードコンタクトを示す、ＯＬＥＤデバイスの上方からの模式図である。
【０１５４】
明確にするために、図示した物品の様々な構成要素（角度を含む）は原寸に比例して模写されていないことを述べておく。
【発明を実施するための形態】
【０１５５】
図１は、意図して非常に模式的であるが、基材を通して発光する又は「底面発光型」の有機発光デバイスを断面で表している。
【０１５６】
このＯＬＥＤデバイス１０００は、第１主面を有する透明基材であって、当該第１面から始まって、
・透明で、少なくとも１つの電気伝導性層を含む、所与のシート抵抗Ｒ１のアノード１を形成している下部電極、例えばＴＣＯ、又は銀を基礎材料とする積重体、
・アノードの上方の有機発光システム２（ＨＴＬ及びＥＴＬ層を含む）、
・有機発光システムの上方にあって、電気伝導性層を含み、一定の所与の厚さの所与のシート抵抗Ｒ２の透明又は半反射性のカソード３を形成している上部電極、
をこの順序で含んでなる積重体を含む透明基材を含み、ｒ比＝Ｒ２／Ｒ１は０．０１と２．５の間であって、当該積重体が共通のいわゆる能動ゾーン２０を画定している。
【０１５７】
電位Ｖ、例えば４Ｖ又は１０Ｖが、第１周辺アノード電気コンタクト４１、例えば金属の（多）層を介して、アノード１の境界で印加される。それは、第１テーラードアノードコンタクト４１と称され、つまり、作動中にあらゆる箇所が第１電位Ｖであるように調整された電気抵抗を有するものである。
【０１５８】
第１テーラードコンタクト４１は、ここでは第１アノード領域４０と称するアノード面の第１領域の外部疑似閉鎖輪郭の範囲を単独で定める能動ゾーン２０の外側の連続バンドである。
【０１５９】
このように、本発明は、２つの電極間で可能な最も均一な電圧差を維持するように２つの電極で起こる電圧降下が互いに補償し合うようなやり方で、ｒ比と２つの電極上への電気的接続部の幾何学的形状の両方が調節されるＯＬＥＤモジュールからなる。
【０１６０】
従って、例えば層状の、第１カソード電気コンタクト５が、アノード領域４０（及び能動領域２０）の表面積よりも小さな、コンタクト面と称される所与の面の、能動ゾーン２０の上方且つ第１アノード領域４０の中央ゾーンの上方に配置される。従って、コンタクト面は第１アノード領域の中心から能動ゾーンの端部へ向かって延在する。
【０１６１】
カソードコンタクト５は第１アノードコンタクト４１からオフセットしていて、コンタクト面のあらゆる箇所Ｃｉで第１アノード領域４０の上のカソード３の領域を部分的に覆う。
【０１６２】
第１テーラードアノードコンタクト及び任意選択的な各第２アノードコンタクトの各箇所Ｂについて言うと、箇所Ｂは第１アノード領域の所与の端部にあり、当該箇所Ｂと当該箇所Ｂに最も近い箇所Ｃの間の距離Ｄを規定し、そして当該箇所Ｂと、第１端部からＣを通過して第１アノード領域の反対側の端部の箇所Ｘとの間の距離Ｌを規定し、このとき、
・０．０１≦ｒ＜０．１である場合、３０％＜Ｄ／Ｌ＜４８％、
・０．１≦ｒ＜０．５である場合、１０％＜Ｄ／Ｌ＜４５％、
・０．５≦ｒ＜１である場合、１０％＜Ｄ／Ｌ＜４５％、
・１≦ｒ＜１．５である場合、５％＜Ｄ／Ｌ＜３５％、
・１．５≦ｒ＜２．５である場合、５％＜Ｄ／Ｌ＜３０％、
となり、あるいは更によいのは、
・０．０４≦ｒ＜０．１である場合、４０％＜Ｄ／Ｌ＜４８％、
・０．１≦ｒ＜０．５である場合、３０％＜Ｄ／Ｌ＜４５％、
・０．５≦ｒ＜１である場合、２０％≦Ｄ／Ｌ≦４０％、又は実際において２５％≦Ｄ／Ｌ≦３５％、
・１≦ｒ＜１．５である場合、１０％＜Ｄ／Ｌ≦３５％、
・１．５≦ｒ＜２．５である場合、１５％≦Ｄ／Ｌ≦２５％、
となる。
【０１６３】
更に厳密に言えば、Ｄは、Ｂとアノードに対して平行なＢを通過する平面におけるＣの垂直投影点との間の距離である。そしてＬは、Ｂと、アノードに対して平行なＢを通過する平面におけるＣの垂直投影点を通過するＸとの間の距離である。従って、ＤとＬは、アノードに対して平行なＢを通過する平面で規定することが好ましい。
【０１６４】
図１ａ、１ｂ、１ｃ、１’ａ、２ａ、３、４、４’、５、６ａ〜６ｄ、７〜９では、実例として、箇所Ｂ１、Ｂ２、Ｂ３、箇所Ｃ１、Ｃ２、Ｃ３、箇所Ｘ１、Ｘ２、Ｘ３、並びに関連した距離Ｌ１、Ｌ２又はＬ３及びＤ１、Ｄ２又はＤ３が示される。もっと正確に言えば、距離はアノードに対して平行なＢ１又はＢ２又はＢ３を通過する平面で規定され、Ｂ１又はＢ２又はＢ３を通過するこの平面におけるＣ１、Ｃ２、Ｃ３の垂直投影点が考慮される。
【０１６５】
コンタクト面は、ここではベタの面であり、変形実施形態としては格子状である。この面は場合によっては星状である。
【０１６６】
ＯＬＥＤデバイス１００は、第１面から離れて有機発光システム２の上方に能動ゾーンを覆う反射体６を含む。
【０１６７】
より正確には、反射体６は第１主面から離れてカソード３の上方に金属の反射被覆要素６１を含んでなり、この被覆要素６１は、電気絶縁要素７、いわゆるインサートと呼ばれる透明で完全に非吸収性の、ここでは好ましくは無機物で薄い層、例えば５０ｎｍの窒化ケイ素、によってカソード３から隔てられている。
【０１６８】
インサート７に隣接する第１カソードコンタクト５は反射性であり、従って反射体６の一部を形成し、好ましくは反射被覆要素６１と接触しているか、又は実際において電気的に結合されている。
【０１６９】
図１において、カソードコンタクト５は、金属の被覆要素６１と同じ材料を基礎材料としている。カソードコンタクト５及び被覆反射体６は、例えば物理的気相成長によるインサート７及びカソード３上の連続層によって形成される。好ましくは、この連続層は、例えば１００ｎｍ、又は実際において５００ｎｍの厚さのアルミニウムを基礎材料とする。当然ながら、インサート７は、カソードコンタクトのゾーンとなることが意図されるゾーンに相当するフリーゾーンを残すように被着前に構造化されている。能動ゾーン２０の端部は、例えばポリイミド樹脂７１によってパッシベーションされる。
【０１７０】
アノードコンタクト４１は、ここではアノード１上にあり、従って基材上（又は下層上）に予め被着されている。しかしながら、アノード２はアノードコンタクト４１の後に同様に良好に被着させてもよく、電気的結合のためにそれと部分的に重なり合うことができる。これによって第１アノード領域４０の定義が変更されることはない。
【０１７１】
変形実施形態として、図示してはいないが、反射体は前記第１カソードコンタクトに隣接するブラッグミラーを含んでなる。その結果、この反射性のカソードコンタクトは更に反射体の一部を形成する。ブラッグミラー（誘電材料の）はカソードの直上にあってもよい。
【０１７２】
カソード３は、例えば、特にＲ２が１Ω／□以上、又は実際において３Ω／□以上２０Ω／□未満、あるいは実際において１０Ω／□未満のアルミニウム層であり、この場合カソードコンタクトは好ましくは先に述べたようにアルミニウムを基礎材料とする層である。
【０１７３】
第１アノード領域４０（そしてそれゆえに能動ゾーン２０）は、例えば少なくとも５ｃｍ×５ｃｍである。
【０１７４】
図１ａは、デバイス１００の上方からの模式図であり、更に明確にするためにデバイスの構成要素、すなわち電気的機能を有する構成要素の一部を示している。
【０１７５】
第１テーラードアノードコンタクト４１は、正方形である第１アノード領域４０の範囲を画定するバンド（又は図示していない変形実施形態として、正方形の範囲を定める例えば直線状のいくつかのバンド）である。
【０１７６】
能動ゾーン２０（ここでは単に破線のその輪郭によって規定される）は同様に正方形であり、第１アノード領域４０の内側にある。実際には、第１アノード領域４０と能動ゾーン２０との間の間隔は制限されている。第１外部周辺テーラードコンタクトは、好ましくは、能動ゾーン２０の最も近い端部から、Ｌａ／１０未満、あるいは実際においてＬａ／２０未満の距離Ｗにあり、ここでのＬａは例えば能動ゾーンの最大寸法である。
【０１７７】
第１アノードコンタクトは単独であり、疑似閉鎖輪郭の境界を定めており、ここでは第１アノード領域４０（及び能動ゾーン２０）の輪郭の９５％に及んでいる。
【０１７８】
上端の中央の開口部４’は、カソード接続ゾーン５２としての機能を果たす。テーラードアノードコンタクトのないこのゾーンの長さは、例えば、特に１ｃｍ未満の限定された寸法である。
【０１７９】
変形実施形態として、図示してはいないが、第１カソードコンタクト５は、本発明による必須条件のＤ／Ｌ比が変わらなければ（特に両端のアノードコンタクトの箇所について）、テーラードアノードコンタクト４を含まない能動ゾーンの端部ゾーン（ここでは上端の中央）まで延在することができる。
【０１８０】
第１カソードコンタクト５（ここでは単にその輪郭によって規定される）は、例えば正方形の第１アノード領域４０の端部、及び能動ゾーン２０の端部に関して中央にある。
【０１８１】
Ｌａ＝１５ｃｍ、Ｒｏｒｇ＝３００Ω・ｃｍ2とし、３Ω／□のアノードを選択して、下記の表２に輝度の均一性Ｈ（均一性Ｈは、ＯＬＥＤの電源投入電圧より高い所与の電圧で給電されるＯＬＥＤの最大輝度に対する最小輝度の比として定義される）をカソードのシート抵抗Ｒ２及び正方形のカソードコンタクトの隆起高さＬｃ及び第１テーラードアノードコンタクトからのその距離Ｄの関数として提示する。
【０１８２】
【表２】
2015503821.tif 000004
【０１８３】
例Ａは理想的なカソードに相当する。Ｈを増加させるためには、ｒとＤ／Ｌの両方を細かく調節することが好ましいことが理解される。従って、反例２及び３によって示されるように、１付近のｒでさえ、特にコンタクト面が小さすぎる（Ｄ／Ｌが大きすぎる）場合に、均一性Ｈを低下させる可能性がある。最良の均一性は、ｒが１．１付近及びＤ＝０．２５Ｌの場合（例２）である。反例３は、３．５を超えるｒについては均一性が足りないことを示している。
【０１８４】
更に良好な有効性のためには、好ましくは５Ω／□未満のＲ１が選択される。
【０１８５】
３Ω／□に等しいＲ１のアノードを製造するためには、例えばＩＴＯなどの透明導電性酸化物“ＴＣＯ”よりも銀を基礎材料とする積重体の方が好ましい。例えば、国際公開第２００８／０２９０６０号パンフレット及び国際公開第２００９／０８３６９３号パンフレットに記載されている銀に基づく単層又は銀に基づく二層積重体を挙げることができる。
【０１８６】
約３Ω／□に等しいＲ２のカソードを製造するためには、厚さを調節しながらアルミニウムを被着させる。
【０１８７】
上記のＨの結果は、典型的に５０Ω・ｃｍ2と３００Ω・ｃｍ2の間の異なるＲｏｒｇ、典型的に１Ω／□と１０Ω／□の間の異なるＲ１のアノード、及び他の大きさの能動ゾーンについて同様である（同じ傾向をたどる）。
【０１８８】
ＯＬＥＤの上方から見たところを図示する図１ｂに示した第１の変形実施形態では、やはり中央にある第１カソードコンタクト５が、第１アノード領域４０の正方形の対角線に沿った十字形である。
【０１８９】
均一性の結果は、１．１に等しいｒの場合に最良である。
【０１９０】
カソード接続ゾーン５２の開口部４’は、例えば角にある。例えば他の角に、使用されない別の開口部があってもよい。
【０１９１】
ＯＬＥＤの上方から見たところを模式的に図示する図１ｃで示した第２の変形実施形態では、電気伝導性層と同様の抵抗性アノード電気コンタクト４２が第１アノード領域４０に加えられて、第１テーラードアノードコンタクト４１に連結されている。
【０１９２】
ここでは、これらの抵抗性コンタクト４２は相互に接続し、格子を形成している。
【０１９３】
従って、照明の良好な均一性を得るためには、０．０１〜２．５の範囲のｒ比を０．０１〜２．５の範囲のｒ’ 比＝Ｒ２／Ｒ’１と取り替え、ここでのＲ’１は第１アノード領域におけるアノード／抵抗性アノードコンタクト集合体の等価シート抵抗であり、すなわちアノードと抵抗性アノードコンタクトとを並列に配置する。
【０１９４】
抵抗性アノードコンタクトは、テーラードコンタクトと同一であるがはるかに微細な、例えば１ｍｍを下回る、材料で作製することができる。例えば、高さ５００ｎｍ及び幅１００μｍのアルミニウムワイヤを用いて製造される５ｍｍ周期の金属ストランドの正方形メッシュで、２．７Ω／□の等価シート抵抗を有するシステムを形成する。その結果、そのようなメッシュをシート抵抗２０Ω／□のＩＴＯアノード上に配置する場合、アノードの等価抵抗（アノードと抵抗性コンタクトとを並列に配置することによって得られる抵抗として定義される）は２．４Ω／□となる。このアノード上に、１００Ω・ｃｍ2の有機材料の垂直抵抗を有する８×８ｃｍ2の正方形能動ゾーンのＯＬＥＤを製造することによって、ＯＬＥＤの端部から４ｃｍに位置する抵抗性コンタクトに近接したところでの照度は２０％低くなる。５％を上回るこの照度の減少は、ＯＬＥＤの中央でアノードの電圧低下をもたらして照度の低下をもたらす抵抗性コンタクトの抵抗特性に起因する。
【０１９５】
第１アノード領域４０の輪郭は疑似閉鎖的であることは既に見たところであり、カソード接続ゾーン５２が規定されている。
【０１９６】
図１のＯＬＥＤの別の模式断面図である図１ｂｉｓに示したように、実際、反射体６を形成する層はアノードコンタクトのない第１面のゾーン１０（開口部のゾーン）に張り出して作製される。
【０１９７】
図１の変形実施形態におけるＯＬＥＤの別の模式断面図である図１ｔｅｒに示したように、実際、反射体６を形成する層は、主面のゾーン１０に張り出して作製され、これはその後、アノードコンタクト４１の上のパッシベーション７１によって絶縁され、このパッシベーションはアノード１の周縁全体に延在する。
【０１９８】
カソードコンタクト５の末端を、テーラードアノードコンタクトのないゾーンで能動ゾーン４０を越えて張り出させることも可能である。
【０１９９】
図１’は、本発明の第１の実施形態の変形例におけるＯＬＥＤデバイス２００であって、第１テーラードアノードコンタクト４１が発光システム２の下にある点で異なっているものを示している、。第１アノードコンタクト４１は樹脂７１によってパッシベーションされる。
【０２００】
図１’ａに示したように、テーラードアノードコンタクト４１の端部のうちの１つは能動ゾーンからアノード接続部４４に向けて突出することができる。
【０２０１】
図２は、本発明の第２の実施形態におけるＯＬＥＤデバイス２００であって、第１テーラードアノードコンタクト４１が周辺にだけあるものでない点で第１の実施形態とは異なるものを示している。第１テーラードコンタクト４１は、実際、例えば長方形で等しい面積の、２つのアノード領域２０を画定し、それらは共に、例えば正方形の、能動ゾーンを含む（好ましくはアノード領域及び能動ゾーンは類似した形状のものである）。
【０２０２】
従って、第１テーラードアノードコンタクトは、補足するものとして、デバイス２００の上方からの見た図である図２ａに示したように、第１の端部（ここでは縦方向）から第２の、ここでは縦方向の相対する端部に及ぶ（パッシベーションされた）内側テーラードバンド４１を含む。
【０２０３】
能動ゾーン２０全体の均一性のためには、第１アノード領域においてと同様に第２アノード領域に話を進めて、第２カソードコンタクトを加え、本発明に従って配置する。それに応じてインサート及び被覆要素を変更する。ｒと、そしてそれゆえにＤ／Ｌの選択は、各アノード領域で保持される。
【０２０４】
カソード接続ゾーン５２のためアノード領域４０ごとに開口部４’が、例えば角又は端部にある。
【０２０５】
当然ながら、変形実施形態では、図示はしないが、アノードコンタクトは内周にある。
【０２０６】
抵抗性アノードコンタクトを追加する場合、好ましくは、一部が各アノード領域に配置される。
【０２０７】
全てのアノード領域が同じ形状である必要はなく、位置、幾何学的形状、そして更にはｒも領域ごとに異なるものでよい。これは究極的に、個々に一定の厚さ（アノード領域ごと）のカソードを生じさせる。
【０２０８】
全ての場合において、能動ゾーン２０全体の端部に（開口部４’のゾーン内に）Ｖで給電することが好ましい。
【０２０９】
図３に示した複数のアノード領域を有する変形実施形態では、デバイス３００は正方形の能動ゾーン２０を含み、アノードコンタクト４１により形成されて能動ゾーン２０を覆う２つの三角形のアノード領域４０（コンタクトが能動ゾーンの対角線に沿っている）がある。
【０２１０】
第１及び第２のカソードコンタクト５は三角形（関連するアノード領域と相似の形状）である。
【０２１１】
図４は、本発明の第４の実施形態のＯＬＥＤデバイス４００であって、能動ゾーン２０がディスク状であり、第１アノード領域４０がディスク状である点で第１の実施形態とは異なるものを示している。
【０２１２】
ｒｏｒｇ＝３００Ω・ｃｍ2、能動ゾーンの直径Ｌ１が１５ｃｍ、Ｒ１＝３Ωの場合について、表３は均一性Ｈを、カソードコンタクトのサイズＲｃ又はＤ１／Ｌ１の関数として、及びＲ２の関数として示している。
【表３】
2015503821.tif 000005
【０２１３】
パラメータの最適範囲、すなわちｒ＝１又はｒ＝１．２５とＤ１／Ｌ１＝２５％±５％が、この表から推定される。
【０２１４】
図４ｂｉｓは、様々なｒ比（０．１と２の間）について、均一性Ｈのグラフを図４に示したデバイス４００のＤ１／Ｌ１の関数として示している。
【０２１５】
ｒ＝０．１、ｒ＝０．３、ｒ＝０．５、ｒ＝１、ｒ＝１．２５、ｒ＝２についてそれぞれ、均一性Ｈ（％）の６つの曲線Ｆ１〜Ｆ６が示されている。
【０２１６】
これらのグラフから、好適なパラメータ範囲、特にｒ＝１又はｒ＝１．２５、Ｄ１／Ｌ１＝２５％±５％が想起される。
【０２１７】
例えば、アノードとしてＲ１が３Ω／□の銀を基礎材料とする積重体とＲ２が３．７５Ω／□のＲ２のカソードを選択する。
【０２１８】
変形実施形態では、例えば、アノードとしてＲ１が８Ω／□のＩＴＯ及びＲ２が１０Ω／□のカソードを選択する。
【０２１９】
図４’に示した代替実施形態として、ベタのコンタクト面に代えて、中央部の太い一次的セグメントと扇形に広がる束状の細い副次的セグメントとを有する星状面を使用する。
【０２２０】
図５は、本発明の第５の実施形態におけるＯＬＥＤデバイス５００であって、第１の実施形態とは、第１テーラードアノードコンタクト４１が点状タイプのコンタクトであり（しかし変形例として、例えば１つの端部に延在して残っていてもよい）、点状タイプの１１個の別のテーラードアノードコンタクト４ｉが加えられ、特に各アノード領域の端部に存在する第１アノード領域４０の範囲を定めるように、分布している点で異なるものを示している。
【０２２１】
各点状のテーラードコンタクト４ｉ間の距離は、２つの相対する端部間の最大距離Ｌｍａｘの半分未満であるか、あるいは実際においてＬｍａｘ／４未満もしくはＬｍａｘ／８未満であるのが好ましい。
【０２２２】
図６ａ〜６ｄは、相似又は類似の形状のアノード領域及びカソードコンタクト５のＯＬＥＤ６００のその他の例を図示している。
【０２２３】
前述の例において、能動ゾーン及び第１アノード領域は同じ形状（例えば幾何学的図形）、すなわち、
・四辺形（図ａ）、
・六角形（図ｂ）、
・八角形（図ｃ）、
・五角形（図ｄ）、
のものである：
【０２２４】
カソードコンタクトは、第１アノード領域の形状を有し、例えば八角形の場合円い形に近づく。
【０２２５】
図７は図１ａの変形例を示しており、ベタのコンタクト面は、束のように扇形に広がり、好ましくは正方形の輪郭を保持する、星状のコンタクト面５で置換されている。
【０２２６】
図８は、六角形の能動ゾーン２０の上方から見た部分模式図を示している。
【０２２７】
延在する第１テーラードアノードコンタクト４１と、２つの延在する第２テーラードアノードコンタクト４１が、能動ゾーンの隣り合わない端部２１、２２、２３に沿っている。
【０２２８】
好ましくは、Ｌｐ＜０．２５Ｐであり、あるいは実際において≦０．１５Ｐであって、Ｌｐは延在する各テーラードコンタクトとこれらのコンタクトを連結するものとして定義される第１アノード領域４０の外周Ｐとの間の距離である。ここでは、カソードコンタクトは、アノードコンタクトのない能動ゾーンの端部２１’、２２’、２３’のところまで及ぶ三角形である。
【０２２９】
図９は、八角形の能動ゾーン２０の上方から見た部分模式図を示している。
【０２３０】
延在する第１テーラードアノードコンタクト４１と、３つの延在する第２テーラードアノードコンタクト４１が、能動ゾーンの隣り合わない端部２１、２２、２３、２４に沿っている。
【０２３１】
ここでは、カソードコンタクトは、アノードコンタクトのない能動ゾーンの端部２１’、２２’、２３’のところまで及ぶ星状である。
【図１】
2015503821.tif 000006
【図１ａ】
2015503821.tif 000007
【図１ｂ】
2015503821.tif 000008
【図１ｃ】
2015503821.tif 000009
【図１ｄ】
2015503821.tif 000010
【図１ｅ】
2015503821.tif 000011
【図１ｂｉｓ】
2015503821.tif 000012
【図１ｔｅｒ】
2015503821.tif 000013
【図２】
2015503821.tif 000014
【図２ａ】
2015503821.tif 000015
【図３】
2015503821.tif 000016
【図４】
2015503821.tif 000017
【図４ａ】
2015503821.tif 000018
【図４ｂｉｓ】
2015503821.tif 000019
【図５】
2015503821.tif 000020
【図６ａ】
2015503821.tif 000021
【図６ｂ】
2015503821.tif 000022
【図６ｃ】
2015503821.tif 000023
【図６ｄ】
2015503821.tif 000024
【図７】
2015503821.tif 000025
【図８】
2015503821.tif 000026
【図９】
2015503821.tif 000027
【国際調査報告】
2015503821.tif 000028
2015503821.tif 000029
2015503821.tif 000030
2015503821.tif 000031
2015503821.tif 000032
2015503821.tif 000033